(57)【要約】      （修正有） 【課題】スケジュールを管理するために特定の暦表示部を探す際に、視認性に富んで特定の各月度表示部を探しやすいカレンダーを提供する。【解決手段】１枚の用紙１１に各月表示部１２が数字順に時計周りに配置されたカレンダー１０であって、用紙１１の上側部の幅方向中央に１２月表示部１８が配置され、右側部の上下方向中央に３月表示部２０が配置され、下側部の中央に６月表示部２２が配置されると共に左側部中央に９月表示部２６が配置され、１２月表示部と３月表示部との間には１月表示部１７及び２月表示部２３が配置され、３月表示部と６月表示部との間には４月表示部２４及び５月表示部２５が配置され、６月表示部と９月表示部との間には７月表示部２７及び８月表示部２８が配置され、９月表示部と１２月表示部との間には１０月表示部３１及び１１月表示部３２が配置されている。【選択図】図１
0003202875.tif 000002
【実用新案登録請求の範囲】
【請求項１】
１枚の用紙に各月度表示部が数字順に時計周りに配置されたカレンダーであって、前記用紙の上部の幅方向中央に１２月表示部が配置され、右部の上下方向中央に３月表示部が配置され、下部の中央に６月表示部が配置されると共に左部中央に９月表示部が配置され、
前記１２月表示部と３月表示部との間には１月表示部及び２月表示部が配置され、前記３月表示部と前記６月表示との間には４月表示部及び５月表示部が配置され、６月表示部と９月表示部との間には７月表示部及び８月表示部が配置され、９月表示部と１２月表示との間には１０月表示部及び１１月表示部が配置されていることを特徴とするカレンダー。
【請求項２】
（第一の実施の形態）
前記用紙は長方形状に形成されると共に前記各月度表示部は長方形状に形成され、長辺部及び短辺部に沿って前記各月度表示部が帯状に配置され、
上部長辺側表示部は１１月、１２月及び１月の月度表示部により構成され、右部短辺側表示部は２月、３月及び４月の月度表示部により構成され、下部長辺側表示部は５月、６月及び７月の月度表示部により構成され、左部短辺側表示部は８月、９月及び１０月の月度表示部により構成されていることを特徴とする請求項１記載のカレンダー。
【請求項３】
（第二の実施の形態）
前記用紙は長方形状に形成されると共に前記各月度表示部は長方形状に形成され、長辺部及び短辺部に沿って前記各月度表示部が帯状に配置され、
上部長辺側表示部は１０月、１１月及び１２月の月度表示部により構成され、右部短辺側表示部は１月、２月及び３月の月度表示部により構成され、下部長辺側表示部は４月、５月及び６月の月度表示部により構成され、左部短辺側表示部は７月、８月及び９月の月度表示部に構成されていることを特徴とする請求項１記載のカレンダー。
【請求項４】
（第三の実施の形態）
前記用紙は長方形状に形成されると共に前記各月度表示部は長方形状に形成され、前記各月度表示部が横長楕円線状に配置されていることを特徴とする請
求項１記載のカレンダー。
【請求項５】
前記用紙の中央には、各月度表示部により包囲された画像表示領域部が形成されていることを特徴とする請求項２又は４記載のカレンダー。
【請求項６】
前記用紙の中央には、各月度表示部に包囲された孔部が形成されていることを特徴とする請求項２、３又は４記載のカレンダー。
【請求項７】
前記上部長辺側表示部と前記右部短辺側表示部との間、前記右部短辺側表示部と前記下部長辺側表示部との間、前記下部長辺表示部と左部短辺側表示部との間、左部短辺側表示部と前記上部長辺側表示部との間には、当該年度の西暦表示部及び和暦表示部が配置されていることを特徴とする請求項２又は３記載のカレンダー。
【請求項８】
前記西暦表示部及び和暦表示部は交互に設けられていることを特徴とする請求項７記載のカレンダー。
【請求項９】
前記各月度表示部は全体長方形状に形成されると共に格子により画成された各曜日表示部を有し、各月表示は前記格子上において、各曜日表示と干渉することなく形成され、各月度表示が前記各月度表示部内に配置され、かつ各曜日表示を阻害することなく表示されていることを特徴とする請求項１記載のカレンダー。
【考案の詳細な説明】
【技術分野】
【０００１】
本考案は、カレンダーに関し、特に、一枚の用紙に一年分の暦表示部が月ごとに記載されたカレンダーの改良に関する。
【背景技術】
【０００２】
従来より、広く多種類のカレンダーが市販されて使用されてきている。このようなカレンダーには、「日表」といわれる日めくりカレンダーや、「月表」と呼ばれる月めくりカレンダーや、「年表」といわれる１年（１２ヶ月）分の暦を片面印刷で一枚の用紙にまとめられたカレンダーがある。この場合、長期予定を検討する場合には、上記の「年表」が便利である。
【０００３】
このような「年表」にあっては用紙が大きいことから、暦を示す暦表示部以外に、絵や写真を掲載して装飾性を高めているカレンダーも多いが、暦表示部を単純に各月の数字順に配置したものが一般的であり、各月度を見る場合に、視認性が低く、必要な日を探しにくい場合が多い、という不具合があった。
【０００４】
このような不具合を解消するために、例えば、実用新案登録文献１に示すカレンダーが提案されている。このカレンダーは横長長方形状の用紙の周縁部に沿って各月の暦表示部を時計周り順に配置したものである。このようなカレンダーによれば長期的な計画を立てる場合に、容易に暦の並び方を認識することができる。
【０００５】
しかしながら、このような実用新案登録文献１に示すカレンダーにあっては、単に、暦表示部が時計周り順に配置されているのみであり、特定の暦表示部を探す際に探しにくく視認性に劣り、使用者が使いにくい、という不具合が存していた。
また、各月を其々、別個の用紙に表示し、月ごとに当該月度の周囲にその他の月度表示を配置した構成となっており、全体として１２枚の用紙により構成されていることから煩雑であり、また、月ごとにその他の月度表示の配置が変わることから使用者が見にくく利用しにくい、という不具合もあった。
【特許文献１】実登３００８７５８号公報
【考案の開示】
【考案が解決しようとする課題】
【０００６】
従って、本考案は、スケジュールを管理するために特定の暦表示部を探す際に、視認性に富んで特定の各月度表示部を探しやすい年表としてのカレンダーを提供することにある。
【課題を解決するための手段】
【０００７】
上記課題達成のため、請求項１記載の考案にあっては、１枚の用紙に各月度表示部が数字順に時計周りに配置されたカレンダーであって、前記用紙の上側部の幅方向中央に１２月表示部が配置され、右側部の上下方向中央に３月表示部が配置され、下側部の中央に６月表示部が配置されると共に左側部中央に９月表示部が配置され、前記１２月表示部と３月表示部との間には１月表示部及び２月表示部が配置され、前記３月表示部と前記６月表示との間には４月表示部及び５月表示部が配置され、６月表示部と９月表示部との間には７月表示部及び８月表示部が配置され、９月表示部と１２月表示との間には１０月表示部及び１１月表示部が配置されていることを特徴とする。
【０００８】
従って、請求項１記載の考案にあっては、一枚の用紙に各月表示部が時計の文字盤の数字と同様の状態で配置されている。
【０００９】
請求項２記載の考案にあっては、前記用紙は長方形状に形成されると共に前記各月度表示部は長方形状に形成され、長辺部及び短辺部に沿って前記各月度表示部が帯状に配置され、上部長辺側表示部は１１月、１２月及び１月の月度表示部により構成され、右部短辺側表示部は２月、３月及び４月の月度表示部により構成され、下部長辺側表示部は５月、６月及び７月の月度表示部により構成され、左部短辺側表示部は８月、９月及び１０月の月度表示部により構成されていることを特徴とする。
従って、請求項２記載の考案にあっては、用紙の長さ方向中心部から左右方向に線対称の関係で各月度表示部が配置される。
【００１０】
請求項３記載の考案にあっては、前記用紙は長方形状に形成されると共に前記各月度表示部は長方形状に形成され、長辺部及び短辺部に沿って前記各月度表示部が帯状に配置され、上部長辺側表示部は１０月、１１月及び１２月の月度表示部により構成され、右部短辺側表示部は１月、２月及び３月の月度表示部により構成され、下部長辺側表示部は４月、５月及び６月の月度表示部により構成され、左部短辺側表示部は７月、８月及び９月の月度表示部に構成されていることを特徴とする。
従って、請求項３記載の考案にあっては、各月度表示部は用紙の対角線方向において対称の位置に配置されている。
【００１１】
請求項４記載の考案にあっては、前記用紙は長方形状に形成されると共に前記各月度表示部は長方形状に形成され、前記各月度表示部が横長楕円線状に配置されていることを特徴とする。
従って、請求項４記載の考案にあっては、時計の文字盤における時間表示とほぼ同様の配置となっている。
【００１２】
請求項５記載の考案にあっては、前記用紙の中央には、各月度表示部により包囲された画像表示領域部が形成されていることを特徴とする。
【００１３】
請求項６記載の考案にあっては、前記用紙の中央には、各月度表示部に包囲された孔部が形成されていることを特徴とする。
【００１４】
請求項７記載の考案にあっては、前記上部長辺側表示部と前記右部短辺側表示部との間、前記右部短辺側表示部と前記下部長辺側表示部との間、前記下部長辺表示部と左部短辺側表示部との間、左部短辺側表示部と前記上部長辺側表示部との間には、当該年度の西暦表示部及び和暦表示部が配置されていることを特徴とする。
【００１５】
請求項８記載の考案にあっては、前記西暦表示部及び和暦表示部は交互に設けられていることを特徴とする。
【００１６】
請求項９記載の考案にあっては、前記各月度表示部は全体長方形状に形成されると共に格子により画成された各曜日表示部を有し、各月表示は前記格子上において、各曜日表示と干渉することなく形成されていることを特徴とする。
【考案の効果】
【００１７】
請求項１記載の考案にあっては、１枚の用紙に各月表示部が数字順に時計周りに配置されたカレンダーであって、前記用紙の上側部の幅方向中央に１２月表示部が配置され、右側部の上下方向中央に３月表示部が配置され、下側部の中央に６月表示部が配置されると共に左側部中央に９月表示部が配置され、前記１２月表示部と３月表示部との間には１月表示部及び２月表示部が配置され、前記３月表示部と前記６月表示との間には４月表示部及び５月表示部が配置され、６月表示部と９月表示部との間には７月表示部及び８月表示部が配置され、９月表示部と１２月表示との間には１０月表示部及び１１月表示部が配置され、各月表示部が時計の文字盤の数字と同様の状態で配置されていることから、使用者は、普段見慣れている時計の文字盤を見る場合と同じ感覚で１２の各月度表示部の中から必要な月度表示部を視覚的に容易に視認することができる。その結果、使用者は迅速、容易かつ確実にその都度必要な月度表示部を探し出すことができ、使用者が使用しやすい視認性に優れた一枚の用紙からなるカレンダーを提供することができる。
【００１８】
請求項２記載の考案にあっては、前記用紙は長方形状に形成されると共に前記各月度表示部は長方形状に形成され、長辺部及び短辺部に沿って前記各月度表示部が帯状に配置され、上部長辺側表示部は１１月、１２月及び１月の月度表示部により構成され、右部短辺側表示部は２月、３月及び４月の月度表示部により構成され、下部長辺側表示部は５月、６月及び７月の月度表示部により構成され、左部短辺側表示部は８月、９月及び１０月の月度表示部により構成され、用紙の長さ方向中心部から左右方向に線対称の関係で各月度表示部が配置されることから、請求項１記載の効果に加えて、全体として各月度表示部がバランスが取れた状態で配置されており、使用者が各月度表示部を視認しやすいカレンダーを提供することができる。また、各月度表示部のこのような配置により用紙の紙面の残余部を有効に活用することもできる。
【００１９】
請求項３記載の考案にあっては、前記用紙は長方形状に形成されると共に前記各月度表示部は長方形状に形成され、長辺部及び短辺部に沿って前記各月度表示部が帯状に配置され、上部長辺側表示部は１０月、１１月及び１２月の月度表示部により構成され、右部短辺側表示部は１月、２月及び３月の月度表示部により構成され、下部長辺側表示部は４月、５月及び６月の月度表示部により構成され、左部短辺側表示部は７月、８月及び９月の月度表示部に構成されており、各月度表示部は用紙の対角線方向において対称の位置に配置されていることから、請求項１記載の効果に加えて、各月度表示部を、全体として躍動感のある配置にすることができるため外観品質に富むカレンダーを提供することができる。また、各月度表示部のこのような配置により用紙の紙面の残余部を有効に活用することもできる。
また、一般のカレンダーにあっては、会計年度の区切りである３月と４月の間の区切り、上期と下期の間の区切りである９月と１０月の間の区切りが分かりにくい。しかしながら、本請求項に係るカレンダーにあっては、右部短辺側表示部は１月、２月及び３月の月度表示部により構成され、下部長辺側表示部は４月、５月及び６月の月度表示部により構成され、３月の月度表示部と４月の月度表示部とが位置的に離間しており、また、左部短辺側表示部は７月、８月及び９月の月度表示部に構成されていると共に上部長辺側表示部は１０月、１１月及び１２月の月度表示部により構成され、９月の月度表示部と１０月の月度表示部とが位置的に離間していることから、会計年度及び上期下期の区別を一目して視認することができ、企業や学校で使用者が使用しやすいカレンダーを提供することができる。
【００２０】
請求項４記載の考案にあっては、前記用紙は長方形状に形成されると共に前記各月度表示部は長方形状に形成され、前記各月度表示部が横長楕円線状に配置され、時計の文字盤における時間表示とほぼ同様の配置となっているため、使用者は時計で時間を確認する時の感覚と全く同様な感覚で利用することが可能となり、請求項１記載の効果に加えて、より使いやすいカレンダーを提供することができる。
【００２１】
請求項５記載の考案にあっては、前記用紙の中央には、各月度表示部により包囲された画像表示領域部が形成されていることから、画像表示領域部には様々な絵画、写真等を印刷することが可能となり、請求項１記載の効果に加えて、使用者、需要者の嗜好に合わせた、外観品質に富んだカレンダーを提供することができる。
【００２２】
請求項６記載の考案にあっては、前記用紙の中央には、各月度表示部に包囲された孔部が形成されていることを特徴とする。
従って、請求項６記載の考案にあっては、用紙の中央の孔部を介して、適宜、使用者の好みの写真、絵画等を背面側から固定し、もしくは適宜着脱可能に固定することにより取り替えて使用することができる。また、壁等に掲示した場合には、背景を取り込んで孔部において利用することができる。その結果、より使用者個々の嗜好に適合させることが可能なカレンダーを提供することができる。
【００２３】
請求項７記載の考案にあっては、前記上部長辺側表示部と前記右部短辺側表示部との間、前記右部短辺側表示部と前記下部長辺側表示部との間、前記下部長辺表示部と左部短辺側表示部との間、左部短辺側表示部と前記上部長辺側表示部との間には、当該年度の西暦表示部及び和暦表示部が配置され、当該年度の西暦表示部及び和暦表示部をデザイン上違和感なく用紙内に配置することができ、より外観品質の高いカレンダーを提供することができる。
また、和暦表示部及び西暦表示部の双方が配置されることにより、和暦と西暦との対比を一目して把握することができるため、和暦と西暦との対応に悩む事態を排除することができるカレンダーを提供することが可能となる。
【００２４】
請求項８記載の考案にあっては、前記西暦表示部及び和暦表示部は交互に設けられていることから、前記当該年度の西暦表示部及び和暦表示部は、互いに３ヶ月分の暦表示部を置いて４か所に配置されていることから、前記西暦表示部及び和暦表示部は適宜の間隔を置いて配置されており、年度の表示を視認しやすいカレンダーを提供することができる。
【００２５】
請求項９記載の考案にあっては、前記各月度表示部は全体長方形状に形成されると共に格子により画成された各曜日表示部を有し、各月表示は前記格子上において、各曜日表示と干渉することなく形成され、各月度表示が各月度表示部内に配置され、かつ各曜日表示を阻害することなく表示されることから、使用者が希望する各月度表示部を把握しやすく、かつ曜日表示も視認しやすいカレンダーを提供することができる。
また、従来のように、各月表示が曜日表示部の外方に別箇に、かつ小さく表示されている場合とは異なり、各曜日表示に干渉することがない状態で大きく表示できることから、より使用者が隔月表示を視認しやすいカレンダーを提供することができる。
【図面の簡単な説明】
【００２６】
【図１】本考案に係るカレンダーの第一の実施の形態の第一実施例を示し、横長長方形状の用紙の長辺部及び短辺部の内側において、長辺部及び短辺部に沿わせて３ヶ月ずつ月度表示部が帯状に配置され、長辺部表示部と短辺部表示部との間に夫々、空隙部が形成されている場合を示す図である。
【図２】本考案に係るカレンダーの第一の実施の形態の第二実施例を示し、横長長方形状の用紙の長辺部及び短辺部の内側において、長辺部及び短辺部に沿わせて３ヶ月ずつ月度表示部が帯状に配置され、長辺部表示部と短辺部表示部との間に夫々、西暦表示部及び和暦表示部が、互いに対向して配置されている場合を示す図である。
【図３】本考案に係るカレンダーの第一の実施の形態の第三実施例を示し、横長長方形状の用紙の長辺部及び短辺部の内側において、長辺部及び短辺部に沿わせて３ヶ月ずつ月度表示部が帯状に配置され、長辺部表示部と短辺部表示部との間に夫々、西暦表示部及び和暦表示部が、互いに対向して配置されている場合であって、中央に画像表示領域部が形成されている場合を示す図である。
【図４】本考案に係るカレンダーの第一の実施の形態の第四実施例を示し、横長長方形状の用紙の長辺部及び短辺部の内側において、長辺部及び短辺部に沿わせて３ヶ月ずつ月度表示部が帯状に配置され、長辺部表示部と短辺部表示部との間に夫々、西暦表示部及び和暦表示部が、互いに対向して配置されている場合であって、中央に長方形状の孔部が開設されている場合を示す図である。
【図５】本考案に係るカレンダーの第一の実施の形態の第五実施例を示し、横長長方形状の用紙の長辺部及び短辺部の内側において、長辺部及び短辺部に沿わせて３ヶ月ずつ月度表示部が帯状に配置され、長辺部表示部と短辺部表示部との間に夫々、西暦表示部及び和暦表示部が、互いに対向して配置されている場合であって、中央にハート形状の孔部が開設されている場合を示す図である。
【図６】本考案に係るカレンダーの第二の実施の形態の第一実施例を示し、横長長方形状の用紙の長辺部及び短辺部の内側において、長辺部及び短辺部に沿わせて３ヶ月ずつ月度表示部が帯状に配置されているが、上部長辺側表示部は用紙の左端部に寄せて配置され、右部短辺側表示部は用紙の上端部に寄せて配置され、下部長辺側表示部は用紙の右端側に寄せて配置され、左部短辺側表示部は用紙の下端部に寄せて配置され、夫々の表示部の間に西暦表示部及び和暦表示部が、互いに対向して配置されている場合を示す図である。
【図７】本考案に係るカレンダーの第二の実施の形態の第二実施例を示し、縦長長方形状の用紙の長辺部及び短辺部の内側において、長辺部及び短辺部に沿わせて３ヶ月ずつ月度表示部が帯状に配置されているが、上部長辺側表示部は用紙の左端部に寄せて配置され、右部短辺側表示部は用紙の上端部に寄せて配置され、下部長辺側表示部は用紙の右端側に寄せて配置され、左部短辺側表示部は用紙の下端部に寄せて配置され、夫々の表示部の間に西暦表示部及び和暦表示部が、互いに対向して配置されている場合を示す図である。
【図８】本考案に係るカレンダーの第三の実施の形態の第一実施例を示し、前記用紙は長方形状に形成されると共に前記各月度表示部は長方形状に形成され、前記各月度表示部が横長楕円線状に配置されている場合を示す図である。
【図９】本考案に係るカレンダーの第三の実施の形態の第二実施例を示し、前記用紙は長方形状に形成されると共に前記各月度表示部は長方形状に形成され、前記各月度表示部が横長楕円線状に配置されている場合であって、西暦表示及び和暦表示が付されると共に、中央には画像表示領域部が形成されている場合を示す図である。
【図１０】本考案に係るカレンダーの第三の実施の形態の第三実施例を示し、前記用紙は長方形状に形成されると共に前記各月度表示部は長方形状に形成され、前記各月度表示部が横長楕円線状に配置されている場合であって、西暦表示及び和暦表示が付されると共に、中央には楕円形状の孔部が形成されている場合を示す図である。
【考案を実施するための最良の形態】
【００２７】
以下、添付図面に示す実施の形態に基づき、本考案を詳細に説明する。
（第一実施形態）
<第一実施例>
図１に示すように、本実施例に係るカレンダー１０は、１枚の横長長方形状の用紙１１に各月表示部１２が数字順に時計周りに配置されたカレンダーであって、用紙１１の長辺部１３及び短辺部１４に沿って前記各月度表示部１２が帯状に配置されている。
【００２８】
本実施の形態にあっては、各月度表示部１２は、２つの長辺側表示部１３、２９と２つの短辺側表示部１４、３０とからなり、長辺側表示部１３は用紙１１の上側部の長辺部１５の内側において用紙１１の長さ方向中央に配置されており、左右方向中央には１２月表示部１８が配置されている。
また、短辺側表示部１４は右側部の短辺部１６の内側において用紙１１の幅方向中央に配置され、上下方向中央には３月表示部２０が配置されている。
【００２９】
また、用紙１１の下側部の長辺部２１の内側には長辺側表示部２９が、長辺側表示部１３に上下方向において対応する位置に配置され、左右方向中央に６月表示部２２が配置されている。用紙１１の左側部の短辺部１９の内側には、短辺側表示部３０が、短辺側表示部１４に左右方向において対応する位置に配置されており、上下方向中央に９月表示部２６が配置されている。
【００３０】
そして、本実施の形態においては、前記１２月表示部１８と３月表示部２０との間には１月表示部１７及び２月表示部２３が配置され、前記３月表示部２０と前記６月表示２２との間には４月表示部２４及び５月表示部２５が配置され、６月表示部２２と９月表示部２６との間には７月表示部２７及び８月表示部２８が配置され、９月表示部と１２月表示との間には１０月表示部３１及び１１月表示部３２が配置されている。
【００３１】
本実施例に係るカレンダー１０にあっては、各月度表示部１２は長方形状に形成され、長辺部１５、２１及び短辺部１６、１９に沿って帯状に配置されている。
上部長辺側表示部１３は１１月表示部３２、１２月表示部１８及び１月表示部１７の月度表示部により構成され、右部短辺側表示部１４は２月表示部２３、３月表示部２０及び４月表示部２４の月度表示部により構成され、下部長辺側表示部２９は５月表示部２５、６月表示部２２及び７月表示部２７の月度表示部により構成され、左部短辺側表示部３０は８月表示部２８、９月表示部２６及び１０月表示部３１の月度表示部により構成されている。
【００３２】
また、各月度表示部１２は全体横長長方形状に形成されると共に格子４０により画成された各曜日表示部４１を有している。そして、各月度表示部１２の各月表示４２は格子４０上において、各曜日表示４１ａと干渉することなく形成されている。
即ち、本実施例にあっては、各月表示４２は算用数字で表示され、当該１〜１２の算用数字は、夫々の月度表示部１２において上記各曜日表示部４１の間に形成されている格子４０を利用する形で記載されている。
【００３３】
本実施例に係るカレンダー１０にあっては、用紙１１の長さ方向中心部から左右方向に線対称の関係で各月度表示部１３、１４、２９，３０が配置されることから、全体として各月度表示部１２がバランスが取れた状態で配置されており、使用者が各月度表示部１２を視認しやすいカレンダーを提供することができる。また、各月度表示部１３、１４、２９、３０のこのような配置により用紙１１の紙面の残余部を有効に活用することもできる。
また、各月度表示部１３、１４、２９、３０の各月表示４２は格子４０上において、各曜日表示４１ａと干渉することなく形成されていることから、各月度表示そのものが各月度表示部１２内に融合する形で表示され、各月度表示４２が各月度表示部１２内に配置されて、かつ各曜日表示４１ａを阻害することなく表示されることから、使用者が希望する各月度表示部を把握しやすく、かつ曜日表示４１ａも視認しやすいカレンダーを提供することができる。
【００３４】
<第二実施例>
図２は第一実施の形態の第二実施例を示す。
本実施例に係るカレンダー３３は、第一実施例に係るカレンダー１０を基礎に、上部長辺側表示部１３と右部短辺側表示部１４との間、右部短辺側表示部１４と下部長辺側表示部２９との間、下部長辺表示部２９と左部短辺側表示部３０との間、左部短辺側表示部３０と上部長辺側表示部１３との間の空隙部に、当該年度の西暦表示部３４及び和暦表示部３５を配置したものである。
【００３５】
即ち、上部長辺側表示部１３と前記右部短辺側表示部１４との間、及び下部長辺表示部２９と左部短辺側表示部３０との間には、夫々、西暦年号である「２０１６」が表示されていると共に、前記右部短辺側表示部１４と前記下部長辺側表示部２９との間、及び左部短辺側表示部３０と前記上部長辺側表示部１３との間には和暦年号である「平成２８年」が表示されている。
【００３６】
本実施例に係るカレンダー３３にあっては、各月度表示部１３、１４、２９、３０の間に形成される空隙部を有効に利用して年号を、デザイン上も違和感なく、視認しやすい位置に表示することができる。
【００３７】
<第三実施例>
図３は第一実施の形態の第三実施例を示す。
本実施例に係るカレンダー３６は、第二実施例に係るカレンダー３３を基礎に、前記用紙１１の中央には、各月度表示部１３、１４、２９、３０により包囲された画像表示領域部３７が形成されている。
本実施例にあっては、画像表示領域部３７は各月度表示部１３、１４、２９、３０により画成された横長長方形状の空隙により形成され、本実施例にあっては写真が印刷されている。従って、本実施例に係るカレンダー３６にあっては、用紙１１の内側周縁部に、夫々、各月度表示部１２が配置されると共に中央部には画像表示領域部３７が形成されていることから、用紙１１の最も視認性の良い中央部位に適宜の画像を印刷することが可能となり、使用者の趣向性に富んだカレンダーを提供することができる。  
【００３８】
<第四実施例>
図４は第一実施の形態の第四実施例を示す。
第四実施例に係るカレンダー３８は、基本構成は第二実施例に係るカレンダー３３と同一であるが、前記用紙１１の中央には各月度表示部１３、１４、２９、３０に包囲された孔部３９が形成されている。
孔部３９は用紙１１に穴あけ加工を施すことにより形成されており、各月度表示部１３、１４、２９、３０により画成される横長長方形に形成されている。
本実施例にあっては、孔部３９を介して、適宜、使用者の好みの写真、絵画等を用紙１１の背面側から固定して使用することができ、もしくは、適宜の壁面部に掛けることにより壁面を背景として取り込んで利用することができ、より使用者個々の嗜好に適合させることができるカレンダーを提供することができる。
【００３９】
<第五実施例>
図５は第一実施の形態の第五実施例を示す。
第五実施例に係るカレンダー４３は、第四実施例に係るカレンダー３８と基本構成は同様であるが、孔部の形状が異なる。即ち、本実施例に係るカレンダー４３にあっては、孔部４４の形状がハート形状となっていると共に、各月度表示部１２においては、各曜日表示４１ａの背景としてハート模様の背景部４５を使用しており、各曜日表示４１ａを仕切る格子は存在しない。
【００４０】
本実施例に係るカレンダー４３にあっては、デザイン度の高い、デザイン性
に富む構成となっていることから、より趣向性の強いカレンダーを提供するこ
とができる。
【００４１】
（第二実施形態）
<第一実施例>
図６は、本考案に係るカレンダーの第二実施の形態を示す。
第二の実施の形態に係るカレンダーにあっては、各月度表示部１２の配置が第一の実施の形態に係るカレンダーとは異なる。
本実施例に係るカレンダー４６にあっては、上部長辺側表示部４７は１０月表示部３１、１１月表示部３２及び１２月表示部１８により構成され、右部短辺側表示部４８は１月表示部１７、２月表示部２３及び３月表示部２０により構成され、下部長辺側表示部４９は４月表示部２４、５月表示部２５及び６月表示部２２により構成され、左部短辺側表示部５０は７月表示部２７、８月表示部２８及び９月表示部２６に構成されている。
【００４２】
即ち、本実施例に係るカレンダー４６にあっては、用紙１１の長辺部１５、２１及び短辺部１６、１９の内側において、長辺部１５、２１及び短辺部１６，１９に沿わせて３ヶ月ずつ月度表示部が帯状に配置されているが、上部長辺側表示部４７は用紙１１の左端部に寄せて配置され、右部短辺側表示部４８は用紙１１の上端部に寄せて配置され、下部長辺側表示部４９は用紙１１の右端側に寄せて配置され、左部短辺側表示部５０は用紙１１の下端部に寄せて配置されているものである。
【００４３】
その結果、各月度表示部４７、４８、４９、５０は用紙１１の対角線方向において対称の位置に配置されており、夫々の表示部４７、４８、４９、５０の間に西暦表示部３４及び和暦表示部３５が、互いに対角線上に対向して配置されている。その他の構成は、第一の実施の形態における第二実施例に係るカレンダー３３と同一である。
その結果、本実施例に係るカレンダー４６にあっては、各月度表示部４７、４８、４９、５０の配置を、全体として躍動感のある配置にすることができるため外観品質に富むカレンダーを提供することができる。また、各月度表示部４７、４８、４９、５０のこのような配置により用紙１１の紙面の残余部を有効に活用することもできる。
また、一般のカレンダーにあっては、会計年度の区切りである３月と４月の間の区切り、上期と下期の間の区切りである９月と１０月の間の区切りが分かりにくい。しかしながら、本請求項に係るカレンダーにあっては、右部短辺側表示部は１月、２月及び３月の月度表示部により構成され、下部長辺側表示部は４月、５月及び６月の月度表示部により構成され、３月の月度表示部と４月の月度表示部とが位置的に離間しており、また、左部短辺側表示部は７月、８月及び９月の月度表示部に構成されていると共に上部長辺側表示部は１０月、１１月及び１２月の月度表示部により構成され、９月の月度表示部と１０月の月度表示部とが位置的に離間していることから、会計年度及び上期下期の区別を一目して視認することができ、企業や学校で使用者が使用しやすいカレンダーを提供することができる。
【００４４】
<第二実施例>
図７は、第二実施形態に係るカレンダーの第二実施例を示す。
本実施例に係るカレンダー５１は、第一実施例に係るカレンダー４６を基本構成としているが、用紙５２が縦長長方形状である点、中央に各月度表示部１２により包囲された空隙部内に縦長楕円状孔部５３が開設されている点、各月度表示部１２が縦長長方形状に形成されると共に、曜日表示部５５を仕切る格子を使用して配設されていない点、各月表示５４が各月度表示部１２内において、曜日表示部５５と干渉しないように上端左端部に配設されている点が異なる。
本実施例に係るカレンダー５１にあっては、第一の実施の形態の第四実施例に係るカレンダー３８と同様に、縦長楕円状孔部５３を介して、適宜、使用者の好みの写真、絵画等を用紙５２の背面側から固定して使用することができ、より使用者個々の嗜好に適合させることができるカレンダーを提供することができる。
また、用紙５２を縦長に使用することができるため、様々なバリエーションの、各表示が視認しやすいカレンダーを提供することができる。
【００４５】
（第三の実施の形態）
<第一の実施例>
図８に示すように、第一の実施例に係るカレンダー５６は、用紙１１は横長長方形状に形成されると共に各月度表示部１２は長方形状に形成され、各月度表示部１２が横長楕円線状に配置されている。
即ち、本実施例にあっては、用紙１１内に、用紙１１の地色とは異なった色彩が施され横長楕円状に形成された各月度配置部５７が形成され、この各月度配置部５７の内方周縁部に沿って各月度表示部１２が夫々、時計方向に沿って配置されている。各月度表示部１２の構成、各月表示部４１の態様は第一の実施の形態の第一実施例の場合と同様である。
【００４６】
本実施例に係るカレンダー５６にあっては、各月度表示部１２が時計の文字盤における時間表示とほぼ同様の配置となっているため、使用者は時計で時間を確認する時の感覚と全く同様な感覚で各月度を視認することが可能となり、より使いやすいカレンダーを提供することができる。
【００４７】
<第二実施例>  
図９は、第三実施の形態の第二実施例を示す。
本実施例に係るカレンダー５８は、図３に示す第一の実施の形態における第三実施例に係るカレンダー３６の基本構成を基礎に、第一実施例の構成を適用して構成したものである。
即ち、各月度表示部１２は横長楕円線状に配置されており、各月度表示部１２により包囲された空隙部内に画像表示領域部３６が形成され、画像表示領域部３６には絵画の写真が印刷されている。
本実施例にあっては、用紙１１はＡ４サイズに形成されると共に、画像表示領域部３６はＡ６サイズに形成されている。
【００４８】
図１０は、第三実施の形態の第三実施例を示す。
本実施例に係るカレンダー５９にあっては、図４に示す第一実施の形態のカレンダー３８の構成を基礎に、図８に示す第三実施の形態の第一実施例のカレンダー５６の態様を適用して構成したものである。
即ち、図４に示すカレンダー３８の各月度表示部１２を全体楕円状に配置し、中心部に楕円状の孔部６０を形成したものである。用紙１１がＡ４サイズであった場合には、孔部６０はほぼＡ６サイズの用紙に内接する大きさとなる。用紙１１がＡ３+サイズの場合には、孔部６０の大きさがＡ４サイズの用紙に内接する大きさとなる。
従って、適宜、Ａ４サイズ又はＡ６サイズの使用者の好みの写真等を孔部６０の裏面側に固定して、孔部６０を介してカレンダーの装飾として使用することが可能となる。
本実施例にあっては、基本構成となる図４に示すカレンダー３８と比較した場合、各月度表示部１２の大きさはより小さくなるが、各月度表示部１２が時計の文字盤における時間表示とほぼ同様の配置となっているため、使用者は時計で時間を確認する時の感覚と全く同様な感覚で視認することが可能となり、使いやすいカレンダーを提供することができる。
【００４９】
上記各実施の形態においては、用紙が長方形状の場合を例に説明したが、上記各実施の形態に限定されず、様々な形態の用紙を適用できる。
【産業上の利用可能性】
【００５０】
本考案はカレンダーに適用することができることから、広く産業上の利用可能性を有している。
【符号の説明】
【００５１】
１０  カレンダー
１１  用紙
１２  各月度表示部
１３  長辺側表示部（上部長辺側表示部）
１４  短辺側表示部（右部短辺側表示部）
１５  長辺部（上側部）
１６  短辺部
１７  １月表示部
１８  １２月表示部
１９  短辺部
２０  ３月表示部
２１  長辺部（下測部）
２２  ６月表示部
２３  ２月表示部
２４  ４月表示部
２５  ５月表示部
２６  ９月表示部
２７  ７月表示部
２８  ８月表示部
２９  長辺側表示部（下部長辺側表示部）
３０  短辺側表示部（左部短辺側表示部）
３１  １０月表示部
３２  １１月表示部
３３  カレンダー
３４  西暦表示部
３５  和暦表示部
３６  カレンダー
３７  画像表示領域部
３８  カレンダー
３９  孔部
４０  格子
４１  曜日表示部
４２  各月表示
４３  カレンダー
４４  孔部
４５  背景部
４６  カレンダー
４７  上部長辺表示部（各月度表示部）
４８  右部短辺表示部（各月度表示部）
４９  下部長辺表示部（各月度表示部）
５０  左部短片表示部（各月度表示部）
５１  カレンダー
５２  用紙
５３  縦長楕円状孔部
５４  各月表示
５５  曜日表示部
５６  カレンダー  
５７  各月度配置部
５８  カレンダー
５９  カレンダー
６０  孔部
【図１】
0003202875.tif 000003
【図２】
0003202875.tif 000004
【図３】
0003202875.tif 000005
【図４】
0003202875.tif 000006
【図５】
0003202875.tif 000007
【図６】
0003202875.tif 000008
【図７】
0003202875.tif 000009
【図８】
0003202875.tif 000010
【図９】
0003202875.tif 000011
【図１０】
0003202875.tif 000012